(57)【要約】      （修正有）【課題】状況に応じて、マスク着用時の眼鏡の曇りや息苦しさ、及び、低酸素状態を解消する、マスク用アダプター及びマスクを提供する。【解決手段】マスク装着時、マスク用アダプター１が顎部１２に当たることで、組立状態α１にあるスペーサー（右）、スペーサー（左）により形成されるスペーサー内通路１４によりマスク内空間Ｓ１はマスク外と交通可能となる。これにより呼吸時の空気の出入りの大部分は、スペーサー内通路を通って行われるようになる。その場の状況に応じて、スペーサーの形状を変えること、あるいは、マスク用アダプターの着脱によりマスク装着時の通気量をコントロールする。【選択図】図３
0003234765.tif 000002
【実用新案登録請求の範囲】
【請求項１】
マスク着用時の眼鏡の曇りや息苦しさ、及び、低酸素状態を解消する、市販のマスクに取り付け可能なマスク用アダプターであって、前記マスク用アダプターは、装着時顎部に隙間空間を形成するスペーサーとマスクにスペーサーを取り付けるための取り付け具から構成され、前記スペーサーは、2個のそれぞれ同一の折れ目の入った長方形の厚紙または繰り返しの折り曲げに強い、ヒンジ特性に優れたポリプロピレン素材から成り、それぞれ一端に設けられた接着部により向かい合わせに取り付け具に固定されており、この状態で、それぞれ、折れ目に従って折り組み立てることでコの字の形をとり、向かい合う形で固定され、この時に形成される略直方体をなす隙間空間がマスク着用時に空気の通路となり、前記取り付け具は、両面テープが接着された、長方形の厚紙または繰り返しの折り曲げに強い、ヒンジ特性に優れたポリプロピレン素材から成り、両面テープの保護シールを除去することによりマスク裏面に取り付け可能となることを特徴とするマスク用アダプター。
【請求項２】
請求項１に記載されたマスク用アダプターであって、前記スペーサーは、可塑性のあるプラスチック、金属などから成る板状構造物とそれを包む布または紙製素材から成る保護材から成り、前記取り付け具を介しマスク裏面下端に取り付けた時に、前記スペーサーを折り曲げ変形させることで、マスク装着時にマスクと顎部との間に隙間空間を形成することを特徴としたマスク用アダプター。
【請求項３】
請求項１に記載されたマスク用アダプターであって、前記スペーサーは、可塑性のあるプラスチック、金属などから成る板状構造物とそれを包む布または紙製素材から成る保護材から成り、かつ、マスク裏面に取り付け時に折り曲げ変形により顎部に隙間空間を形成する顎固定部と、折り曲げ変形によりマスク中央部を外側に押し出すことで、マスク装着時に鼻口周囲部の隙間空間を拡大する押し出し部を有する
ことを特徴としたマスク用アダプター。
【請求項４】
請求項１から３のいずれか1項に記載されたマスク用アダプターであって、前記取り付け具は、長方形の厚紙または繰り返しの折り曲げに強い、ヒンジ特性に優れたポリプロピレン素材から成り、平行な2本のスリットを有し、マスク下端に着脱可能とする
ことを特徴としたマスク用アダプター。
【請求項５】
請求項１に記載されたマスク用アダプターであって、前記スペーサーは、片側にクランク状、円柱状、円弧状等の凸型形状を有する厚紙または繰り返しの折り曲げに強い、ヒンジ特性に優れたポリプロピレン素材から成り、取り付け台に取り付けた時に、前記スペーサーと前記取り付け具との間に、隙間空間が常時形成され、前記取り付け具は、長方形の厚紙または繰り返しの折り曲げに強い、ヒンジ特性に優れたポリプロピレン素材から成り、平行な2本のスリットを有し、マスク下端に着脱可能とする
ことを特徴としたマスク用アダプター。
【請求項６】
着用者の両耳に掛けられる左右一対の支持紐体に保持されて前記着用者の鼻口部に密着されるマスクの前記鼻口側下端に、請求項１〜５のいずれかに記載のマスク用アダプターが取付けられていることを特徴とするマスク
【考案の詳細な説明】
【技術分野】
【０００１】
本考案は、マスク着用時の通気量をコントロールするマスク用アダプター及びマスクに関する。
【背景技術】
【０００２】
従来、マスクとしては、使用者の耳に引っ掛ける紐状の耳掛け部を備えたものがよく知られている。装着時の密閉度をコントロールする構造にはなっていない。
【先行技術文献】
【特許文献】
【０００３】
【特許文献１】実登３２２９８５３
【特許文献２】特許５８１８１９１
【特許文献３】特開２０１３−０００１３２
【考案の概要】
【考案が解決しようとする課題】
【０００４】
世界規模での感染症の蔓延に伴い、全ての人が、自覚症状の有無にかかわらず、感染予防のため、一日うちの殆どの時間、マスクを着用して過ごしている。
【０００５】
人混みなどで、感染者の存在が不明の時などは、マスクの密着性が高い状態を保つ必要があるが、周りに人が少ないなど、飛沫感染を防げば十分な状況になった時には、最低限の飛沫感染の防止機能を有しつつ、マスクの密着性を下げることで、眼鏡の曇り、息苦しさ、低酸素状態を軽減することが望まれる。
【０００６】
低酸素状態が長期間続くことで、全ての年齢において熱中症のリスクが増大すること、及び、特に成長期にある未成年には脳をはじめとする身体発達に対し多大な影響を及ぼすことが報告されている。さらに心配なのは、運動時など酸素消費量が増大するときのマスク装着であり、この時の体への悪影響はそれ以上に大きく、長期的に見てかなり危険と思われる。そして、体育の授業時間など、先生の説明を集まって聞いている時と、その後、運動している時にもこうした切り替えが望ましい場面は少なくない。
【０００７】
これまでに、飛沫感染を防ぎつつ、マスク着用時の通気量を確保するマスクとして、先行技術としては、実登３２２９８５３や特許5818191や特開2013-000132などが提案されており、これらはいずれもマスクの接触面と顔面の間に隙間を形成するためパット状素材などをマスク面に接合する構造となっている。
【０００８】
しかるに、これらを用いて前述のように状況に応じて適切に使い分けるには、常時、通常のマスクと、当該先行技術のマスクの２種類を用意し、そのうちに一方を着用し他方を控えとして携行することが必要となるが、これは面倒である。しかも、当該先行技術のマスクは構造上かさばっていることから、携行しにくい。
【０００９】
また、通常のマスクと、飛沫感染防止用に合計２種類のマスクを購入する必要があるため、経済的に負担になるという問題もある。
【００１０】
これらの問題を解決するために、低コストで、状況に応じて、感染防止機能を有しつつ、マスク着用時の通気量をコントロールする手段の提供を目的とした。
【課題を解決するための手段】
【００１１】
１．本考案は、マスク着用時の眼鏡の曇りや息苦しさ、及び、低酸素状態を解消する、市販のマスクに取り付け可能なマスク用アダプターであって、前記マスク用アダプターは、装着時顎部に隙間空間を形成するスペーサーとマスクにスペーサーを取り付けるための取り付け具から構成され、前記スペーサーは、2個のそれぞれ同一の折れ目の入った長方形の厚紙または繰り返しの折り曲げに強い、ヒンジ特性に優れたポリプロピレン素材から成り、それぞれ一端に設けられた接着部により向かい合わせに取り付け具に固定されており、この状態で、それぞれ、折れ目に従って折り組み立てることでコの字の形をとり、向かい合う形で固定され、この時に形成される略直方体をなす隙間空間がマスク着用時に空気の通路となり、前記取り付け具は、両面テープが接着された、長方形の厚紙または繰り返しの折り曲げに強い、ヒンジ特性に優れたポリプロピレン素材から成り、両面テープの保護シールを除去することによりマスク裏面に取り付け可能となることを特徴としたマスク用アダプターである。
【００１２】
かかる構成とすることにより、前記スペーサーを組み立てた状態で、マスクの下端に取り付け、顎を覆うようにマスクを着用した時に、前記スペーサーにより顎とマスクとの間に常時、隙間空間を形成するとともに、マスクの中心から首の方向に向けて常時、開口部ができ、飛沫による感染を防ぎながら通気量を高めることで眼鏡の曇りや呼吸状態を改善する。状況に応じて、前記マスク用アダプターはスペーサーを折りたたむことで隙間空間を無くし密閉性を高めることができるので、通気量のコントロールが可能となる。
【００１３】
２．また、本考案は、マスク着用時の眼鏡の曇りや息苦しさ、及び、低酸素状態を解消する、市販のマスクに取り付け可能なマスク用アダプターであって、前記スペーサーは、可塑性のあるプラスチック、金属などから成る板状構造物とそれを包む布または紙製素材から成る保護材から成り、前記取り付け具を介しマスク裏面に取り付けた時に、前記スペーサーを折り曲げ変形させることで、マスク装着時にマスクと顎部との間に隙間空間を形成することを特徴としたマスク用アダプターである。
【００１４】
かかる構成とすることにより、マスクの下端に取り付け、顎を覆うようにマスクを着用した時に、前記スペーサーを折り曲げ変形させ、顎とマスクとの間に常時、隙間空間を形成するとともに、マスクの中心から首の方向に向けて常時、開口部ができるようにすることで、飛沫による感染を防ぎながら通気量を高め呼吸状態を改善することができ、状況に応じて、前記マスク用アダプターは前記スペーサーを、隙間空間を無くするように再び折り曲げ変形させることで密閉性を高めることができるので、通気量のコントロールが可能となる。
【００１５】
３．また、本考案は、マスク着用時の眼鏡の曇りや息苦しさ、及び、低酸素状態を解消する、市販のマスクに取り付け可能なマスク用アダプターであって、前記スペーサーは、可塑性のあるプラスチック、金属などから成る板状構造物とそれを包む布または紙製素材から成る保護材から成り、かつ、マスク裏面に取り付け時に折り曲げ変形により顎部に隙間空間を形成する顎固定部と、折り曲げ変形によりマスク中央部を外側に押し出すことで、マスク装着時に鼻口周囲部の隙間空間を拡大する押し出し部を有することを特徴としたマスク用アダプターである。
【００１６】
かかる構成とすることにより、マスクの下端に取り付け、顎を覆うようにマスクを着用した時に、前記スペーサーの顎部を折り曲げ変形させ、顎とマスクとの間に常時、隙間空間を形成し、マスクの中心から首の方向に向けて常時、開口部ができるようにすると共に、同時に、押し出し部を折り曲げ変形させ、鼻口周囲部の隙間空間を拡大することで、飛沫による感染を防ぎながら通気量を高め呼吸状態を改善することができる。また、状況に応じて、前記マスク用アダプターは前記スペーサーの顎固定部を隙間空間を無くするように折り曲げ変形させることで密閉性を高めることができるので、通気量のコントロールが可能となる。
【００１７】
さらに、押し出し部を折り曲げ変形することで、鼻口周囲部の隙間空間が拡大するためマスクが鼻口周囲部に貼り付きにくくなり呼吸が楽になる。
【００１８】
４．また、本考案は、マスク着用時の眼鏡の曇りや息苦しさ、及び、低酸素状態を解消する、市販のマスクに取り付け可能な上記マスク用アダプターであって、前記取り付け具は、長方形の厚紙または繰り返しの折り曲げに強い、ヒンジ特性に優れたポリプロピレン素材から成り、平行な2本のスリットを有し、マスク下端に着脱可能とする構成が提案される。
【００１９】
かかる構成とすることにより、マスク用アダプターは、マスクに対し着脱可能となることから、状況に応じて着脱により通気量をコントロールすることが可能となる。さらに、マスク用アダプターはマスク交換後に繰り返し利用できるので経済的である。
【００２０】
５．本考案は、マスク着用時の眼鏡の曇りや息苦しさ、及び、低酸素状態を解消する、市販のマスクに取り付け可能なマスク用アダプターであって、前記スペーサーは、片側にクランク状、円柱状、円弧状等の凸型形状を有する厚紙または繰り返しの折り曲げに強い、ヒンジ特性に優れたポリプロピレン素材から成り、取り付け台に取り付けた時に、前記スペーサーと前記取り付け具との間に、隙間空間が常時形成され、  前記取り付け具は、長方形の厚紙または繰り返しの折り曲げに強い、ヒンジ特性に優れたポリプロピレン素材から成り、平行な2本のスリットを有し、マスク下端に着脱可能とすることを特徴としたマスク用アダプターである。
【００２１】
かかる構成とすることにより、マスクの下端に取り付け、顎を覆うようにマスクを着用した時に、前記スペーサーにより顎とマスクとの間に常時、隙間空間を形成するとともに、マスクの中心から首の方向に向けて常時、開口部ができ、飛沫による感染を防ぎながら通気量を高めることで呼吸状態を改善する。マスク用アダプターは、マスクに対し着脱可能となることから、状況に応じて着脱により通気量をコントロールすることが可能となる。さらに、マスク用アダプターはマスク交換後に繰り返し利用できるので経済的である。
【考案の効果】
【００２２】
また、本考案は、低コストで、マスク着用時の通気量をコントロールすることによりマスク着用時の眼鏡の曇りや息苦しさ、及び、低酸素状態を解消することを可能とした。
【００２３】
さらに、着脱自在の構造を有するマスク用アダプターは、マスク交換後も次のマスクに使用できるので経済的である。
【図面の簡単な説明】
【００２４】
【図１】実施例１のマスク用アダプターの構成を示す斜視図である。
【図２】実施例１のマスク用アダプターをマスクに取り付けて、スペーサーを組み立てた状態を示す斜背面図である。
【図３】実施例１のマスク用アダプターの使用状態を示す部分縦断面図である。
【図４】実施例１のマスク用アダプターをマスクに取り付けて、スペーサーの組み立て状態を解除した収納状態を示す斜背面図である。
【図５】実施例２のマスク用アダプターをマスクに取り付けた状態を示す斜背面図（一部破断図）である。
【図６】実施例２のマスク用アダプターをマスクに取り付けた状態（折り曲げ変形させた状態）を示す斜背面図である。
【図７】実施例２のマスク用アダプターの使用状態（折り曲げ変形させた状態）を示す斜背面図である。
【図８】実施例３のマスク用アダプターをマスクに取り付けた状態を示す斜背面図（一部破断図）である。
【図９】実施例３のマスク用アダプターの使用状態（折り曲げ変形させた状態）を示す部分縦断面図である。
【図１０】実施例４のマスク用アダプターを組み立てた状態を示す正面図である。
【図１１】実施例４のマスク用アダプターを組み立ててマスクに取り付けた状態を示す斜背面図である。
【図１２】実施例５のマスク用アダプター（クランク型）の斜視図である。
【図１３】実施例５のマスク用アダプター（円柱型）の斜視図である。
【図１４】実施例５のマスク用アダプター（円弧型）の斜視図である。
【考案を実施するための形態】
【００２５】
以下、本考案を具体化した実施例を詳細に説明する。なお本考案は、下記に示す実施例に限定されることはなく、適宜設計変更が可能である。
【実施例１】
【００２６】
以下、本考案のマスク用アダプターを具体化した実施例を添付図面に従って説明する。マスク用アダプター１の構造を図１にて説明する。
図示するように、スペーサー１５は２つの同形で折り目の入ったスペーサー（右）２、スペーサー（左）３から成り、それらが対称に向き合う形でそれぞれ接着部（右）５、接着部（左）６により、取り付け具４に固定されている。取り付け具４のマスクに接触する側面７には両面テープ８が貼り付けられており、使用時に両面テープ８に付着している保護シール９を取り除き、接着面１０を露出させることでマスクに取り付けられる構造になっている。スペーサー（右）２、スペーサー（左）３、取り付け具４の素材は、厚紙または繰り返しの折り曲げに強い、ヒンジ特性に優れたポリプロピレン素材から成る。ポリプロピレン素材を用いることによりマスク用アダプター１の耐久性が向上する。
【００２７】
図２はマスク用アダプター１をマスクMの裏面（鼻や口に接する面）１１の下端に取り付け、スペーサー（右）２、スペーサー（左）３、を折り目に沿って折り曲げ組み立てた状態を示す。この時、スペーサー（右）２、スペーサー（左）３は互いにもとに戻ろうとする力が互いに反発し合うことで、組立状態α１となる。
【００２８】
図３はマスク用アダプター１をマスクMの裏面（鼻や口に接する面）１１に取り付け、組立状態α１にてマスクMを装着した様子を示す部分縦断面図である。
【００２９】
マスク装着時、マスク用アダプター１が顎部１１に当たることで、組立状態α１にあるスペーサー（右）２、スペーサー（左）３により形成されるスペーサー内通路１４によりマスク内空間S1はマスク外と交通可能となる。これにより呼吸時の空気の出入りの大部分は、スペーサー内通路１４を通って行われるようになる。これにより眼鏡の曇り、息苦しさ、低酸素状態が解消される。
【００３０】
図３では、吸気時の空気の流れL1は破線で、呼気時の空気の流れL2は実線で示している。
【００３１】
この状態で会話をする、あるいは咳をすることによりツバが飛散しても、それは自分自身の頸部１３の方向に向かうため周囲へ及ぼす感染の影響は軽減される。
【００３２】
混雑したところなど、感染の可能性の高いところにいる時には、図４に示すようにスペーサー（右）２とスペーサー（左）３の組立状態α１を解除し収納状態β１とすることで、マスク内空間S1とマスク外との交通を断ちマスク内空間S1内の密閉度を高めることで感染の危険性を低下させることができる。
【００３３】
このように低コストでその場の状況に応じてスペーサーの形状を調節することで容易にマスク内外の通気量をコントロールすることにより眼鏡の曇り、息苦しさ、低酸素状態を解消することを可能とした。
【実施例２】
【００３４】
マスク用アダプター２１をマスクMに取り付けた状態を図５にて説明する。
図示するようにスペーサー２２は可塑性のあるプラスチックまたは金属からなる略長方形の板状構造物２３と布または紙製素材から成る保護材２４から成り、前記板状構造物２３は前記保護材２４により包まれている。これによりマスク装着時に板状構造物２３が直接顔面に接触することを防いでいる。
【００３５】
前記スペーサー２２は取り付け具２５に取り付けられており、前記取り付け具２５は実施例１に記した取り付け具４と同様の構造を取り、両面テープ２６が接着しており、これを介してマスクMの裏面（鼻や口に接する面）１１の下端に取り付いている。
【００３６】
使用時は、マスクMに取り付けられたスペーサー２２を図６に示すように、マスクMの下端部が外側に凸になるように折り曲げ変形させ組立状態α２とする。
【００３７】
図７はマスク用アダプター２１をマスクMの裏面（鼻や口に接する面）１１に取り付け、組立状態α２にて、マスクMを装着した様子を示す部分縦断面図である。
【００３８】
この時、顎部１２に隙間空間２７を作ることでマスク内空間S２はマスク外と交通可能となり実施例１と同様の効果が得られる。
【００３９】
混雑したところなど、感染の可能性の高いところにいる時には、折り曲げ変形したスペーサー２２を顎の形に応じて密着させるように変形させることで、マスク内空間S２とマスク外との交通を断ちマスク内空間S２内の密閉度を高めることで感染の危険性を低下させることができる。
【００４０】
つまり、実施例２についても実施例１と同様に低コストでその場の状況に応じてスペーサー２２の形状を調節することで容易にマスク内外の通気量をコントロールすることにより眼鏡の曇り、息苦しさ、低酸素状態を解消することを可能とした。
【実施例３】
【００４１】
マスク用アダプター３１をマスクMに取り付けた状態を図８にて説明する。
図示するように、スペーサー３２は可塑性のあるプラスチックまたは金属からなる顎固定部３３と２箇所の押し出し部３４を有する略コの字形をした板状構造物３５と布または紙製素材から成る保護材３６から成り、前記板状構造物３５は前記保護材３６により包まれている。これによりマスク装着時に板状構造物３５が直接顔面に接触することを防いでいる。
【００４２】
前記スペーサー３２は取り付け具３７に取り付けられており、前記取り付け具３７は実施例１に記した取り付け具４と同様の構造を取り、両面テープ３８が接着しており、これを介してマスクMの１裏面（鼻や口に接する面）１１の下端に取り付いている。
【００４３】
使用状態を図９にて説明する。マスクMに取り付けられたマスク用アダプター３１において、スペーサー３２をマスク下端部が外側に凸になるように折り曲げ変形させることで、マスク装着時、顎部１２に隙間空間３９を作ることでマスク内空間S３はマスク外と交通可能となる。これにより実施例１および実施例２と同様の効果が得られる。
【００４４】
さらに２箇所の押し出し部３４を外側に押し出すことにより、マスクM内の鼻口周囲部の空間が増えマスク内空間S３が拡大する（第１取り付け状態α３）。これにより吸気時に鼻口周囲にマスクが張り付くことが減り呼吸が楽になる。
【００４５】
２箇所の押し出し部３４を押し出した時の第１取り付け状態α３におけるマスク用アダプター３１及びマスクMの断面を実線で、押し出す前の第２取り付け状態β３におけるマスク用アダプター３１及びマスクMの断面を破線で示した。
【００４６】
以上より、実施例１や実施例２と同様の効果に加え、マスク装着時の呼吸がより楽になるという効果を有する。
【実施例４】
【００４７】
マスク用アダプター４１の正面図を図１０にて、マスクMに取り付けた状態を図１１にて説明する。これは実施例１の取り付け具形状のみを変更したものである。
【００４８】
スペーサー４２は実施例１と同様に、２つの同形で折り目の入ったスペーサー（右）４３、スペーサー（左）４４から成り、それらが対称に向き合う形でそれぞれ接着部（右）４５、接着部（左）４６により、取り付け具４７に固定されている。
【００４９】
なお、図１０及び１１では、スペーサー（右）２、スペーサー（左）３、を折り目に沿って折り曲げ組み立てた組立状態α４を示す。
【００５０】
取り付け具４７は、長方形の厚紙または繰り返しの折り曲げに強いヒンジ特性に優れたポリプロピレンから成り、平行な２本のスリット（右）４８、スリット（左）４９を有し、これによりマスクM裏面（鼻や口に接する面）１１の下端を挟み込むことにより、マスク用アダプター４１はマスクMに取り付けられている。
【００５１】
スペーサー４２によりマスク内外の通気量を増やすことができることから、実施例１と同様の効果が得られる。
【００５２】
さらに、マスク用アダプター４１の着脱が容易に行えることから、周囲の状況に応じてマスク用アダプター４１の着脱によりマスク内外の通気量をコントロールすることも可能となる。
【００５３】
さらに、マスクが古くなり交換が必要になった際、マスク用アダプターは次のマスクにも利用できるので経済的である。
【００５４】
上記説明ではスペーサーは実施例１のものを採用し取り付け具を変更しているが、実施例２，実施例３についても同様に取り付け具の変更は可能であり、それにより同様の効果が期待できる。
【実施例５】
【００５５】
マスク用アダプター５１（クランク型）を図１２にて説明する。これは実施例４のスペーサー形状のみを変更したものである。
【００５６】
スペーサー５２は図１２に示すようにクランク状のクランク部５３が接着部（右）５４，接着部（左）５５により取り付け具５６に固定されている。
【００５７】
取り付け具５６は、長方形の厚紙または繰り返しの折り曲げに強いヒンジ特性に優れたポリプロピレンから成り、平行な２本のスリット（右）５７、スリット（左）５８を有し、これによりマスクM裏面（鼻や口に接する面）１１の下端を挟み込むことにより、マスクMに取り付く構造になっている。
【００５８】
スペーサー５２によりマスク内外の通気量を増やすことができることから、実施例１と同様の効果が得られる。
【００５９】
このような構造により、マスク用アダプターの着脱が容易に行えることから、周囲の状況に応じて着脱することによるマスク内外の通気量のコントロールも可能である。
【００６０】
さらに、マスクが古くなり交換が必要になった際、マスク用アダプターは次のマスクにも利用できるので経済的である。
【００６１】
なお、スペーサーの形状は、図１２のものに限らず、片側に凸状の中空構造を有する形状であれば同様の効果が得られるため、図１３に示すマスク用アダプター５０１（円柱型）１、図１４に示すマスク用アダプター５０２（円弧型）なども可能である。
【符号の説明】
【００６２】
１、２１、３１、４１、５１、５０１、５０２    マスク用アダプター
１５、２２、３２、４２、５２    スペーサー
２、４３    スペーサー（右）
３、４４    スペーサー（左）
４、２５、３７、４７、５６    取り付け具
５、４５、５４    接着部（右）
６、４６、５５    接着部（左）
７    マスクに接触する側面
８、２６、３８    両面テープ
９    保護シール
１０  接着面
１１  裏面（鼻や口に接する面）
１２  顎部
１３  頸部
１４  スペーサー内通路
２３、３５    板状構造物
２４、３６    保護材
２７、３９    隙間空間
３３  顎固定部
３４  押し出し部
４８、５７スリット（右）
４９、５８スリット（左）
５３  クランク部
５６  取り付け具
M  マスク
S1、S２、S３  マスク内空間
L1  吸気時の空気の流れ（破線）
L２  吸気時の空気の流れ（実線）
α１、α２、α４  組立状態
β１  収納状態
α３  第１取り付け状態
β３  第２取り付け状態
【図１】
0003234765.tif 000003
【図２】
0003234765.tif 000004
【図３】
0003234765.tif 000005
【図４】
0003234765.tif 000006
【図５】
0003234765.tif 000007
【図６】
0003234765.tif 000008
【図７】
0003234765.tif 000009
【図８】
0003234765.tif 000010
【図９】
0003234765.tif 000011
【図１０】
0003234765.tif 000012
【図１１】
0003234765.tif 000013
【図１２】
0003234765.tif 000014
【図１３】
0003234765.tif 000015
【図１４】
0003234765.tif 000016
【手続補正書】
【提出日】令和3年7月5日(2021.7.5)
【手続補正１】
【補正対象書類名】実用新案登録請求の範囲
【補正対象項目名】全文
【補正方法】変更
【補正の内容】
【実用新案登録請求の範囲】
【請求項１】
マスク装着時の眼鏡の曇りや息苦しさ、及び、低酸素状態を解消する、市販のマスクに取り付け可能なマスク用アダプターであって、スペーサー及びそれと一体化した取り付け具から構成され、前記スペーサーは、厚紙または繰り返しの折り曲げに強い、ヒンジ特性に優れたポリプロピレン素材の２個の略長方形の構造物から構成され、それぞれ複数の折り目が入っており、向き合うように取り付け具に固定され、この状態で折り目に従って折った時、それぞれの自由端が互いに元に戻ろうとして生じる反発力によって固定される位置関係にあり、前記取り付け具は、両面テープと厚紙または繰り返しの折り曲げに強い、ヒンジ特性に優れたポリプロピレン素材の略長方形の構造物から成り、両面テープの一方の接着面により両者は一体化し、未使用時、他方の接着面が保護シールで覆われていることを特徴とするマスク用アダプター。
【請求項２】
マスク装着時の眼鏡の曇りや息苦しさ、及び、低酸素状態を解消する、市販のマスクに取り付け可能なマスク用アダプターであって、スペーサー及びそれと一体化した取り付け具から構成され、前記スペーサーは、可塑性のあるプラスチックまたは金属から成る板状構造物とそれを包む袋状の布または紙製素材から成る保護材から成り、前記取り付け具は請求項１に記載したものと同様であることを特徴としたマスク用アダプター。
【請求項３】
マスク装着時の眼鏡の曇りや息苦しさ、及び、低酸素状態を解消する、市販のマスクに取り付け可能なマスク用アダプターであって、スペーサー及びそれと一体化した取り付け具から構成され、前記スペーサーは、可塑性のあるプラスチックまたは金属から成る略コ状の棒状または板状構造物とそれを包む袋状の布または紙製素材から成る保護材から成り、該略コ状の構造物は顎固定部とその両端に位置する２つの押し出し部から成り、前記取り付け具は請求項１に記載したものと同様であることを特徴としたマスク用アダプター。
【請求項４】
請求項１から３のいずれか1項に記載されたマスク用アダプターであって、
前記取り付け具は、長方形の厚紙または繰り返しの折り曲げに強い、ヒンジ特性に優れたポリプロピレン素材から成り、平行な2本のスリットを有し、マスク下端を裏側から挟み込むことでマスクに着脱可能とすることを特徴としたマスク用アダプター。
【請求項５】
マスク装着時の眼鏡の曇りや息苦しさ、及び、低酸素状態を解消する、市販のマスクに取り付け可能なマスク用アダプターであって、スペーサー及びそれと一体化した取り付け具から構成され、前記スペーサーは、厚紙または繰り返しの折り曲げに強い、ヒンジ特性に優れたポリプロピレン素材から成る、クランク状または円柱状または円弧状の凸型形状を有する構造物で、前記取り付け具は請求項４に記載したものと同様であることを特徴としたマスク用アダプター。
【請求項６】
着用者の両耳に掛けられる左右一対の支持紐体に保持されて前記着用者の鼻口部に密着されるマスクの前記鼻口側に、請求項１〜５のいずれかに記載のマスク用アダプターが取り付けられていることを特徴とするマスク。
【手続補正書】
【提出日】令和3年9月4日(2021.9.4)
【手続補正１】
【補正対象書類名】実用新案登録請求の範囲
【補正対象項目名】全文
【補正方法】変更
【補正の内容】
【実用新案登録請求の範囲】
【請求項１】
マスク装着時の眼鏡の曇りや息苦しさ、及び、低酸素状態を解消する、市販のマスクに取り付け可能なマスク用アダプターであって、スペーサー及びそれと一体化した取り付け具から構成され、前記スペーサーは、厚紙または繰り返しの折り曲げに強い、ヒンジ特性に優れたポリプロピレン素材の２個の略長方形の構造物から構成され、それぞれ複数の折り目が入っており、向き合うように取り付け具に固定され、この状態で折り目に従って折った時、それぞれの自由端が互いに元に戻ろうとして生じる反発力によって固定される位置関係にあり、前記取り付け具は、両面テープと厚紙または繰り返しの折り曲げに強い、ヒンジ特性に優れたポリプロピレン素材の略長方形の構造物から成り、両面テープの一方の接着面により両者は一体化し、未使用時、他方の接着面が保護シールで覆われていることを特徴とするマスク用アダプター。
【請求項２】
マスク装着時の眼鏡の曇りや息苦しさ、及び、低酸素状態を解消する、市販のマスクに取り付け可能なマスク用アダプターであって、スペーサー及びそれと一体化した取り付け具から構成され、前記スペーサーは、可塑性のあるプラスチックまたは金属から成る板状構造物とそれを包む袋状の布または紙製素材から成る保護材から成り、前記取り付け具は、両面テープと厚紙または繰り返しの折り曲げに強い、ヒンジ特性に優れたポリプロピレン素材の略長方形の構造物から成り、両面テープの一方の接着面により両者は一体化し、未使用時、他方の接着面が保護シールで覆われていることを特徴としたマスク用アダプター。
【請求項３】
マスク装着時の眼鏡の曇りや息苦しさ、及び、低酸素状態を解消する、市販のマスクに取り付け可能なマスク用アダプターであって、スペーサー及びそれと一体化した取り付け具から構成され、前記スペーサーは、可塑性のあるプラスチックまたは金属から成る略コ状の棒状または板状構造物とそれを包む袋状の布または紙製素材から成る保護材から成り、該略コ状の構造物は顎固定部とその両端に位置する２つの押し出し部から成り、前記取り付け具は、両面テープと厚紙または繰り返しの折り曲げに強い、ヒンジ特性に優れたポリプロピレン素材の略長方形の構造物から成り、両面テープの一方の接着面により両者は一体化し、未使用時、他方の接着面が保護シールで覆われていることを特徴としたマスク用アダプター。
【請求項４】
請求項１から３のいずれか1項に記載されたマスク用アダプターであって、
前記取り付け具は、長方形の厚紙または繰り返しの折り曲げに強い、ヒンジ特性に優れたポリプロピレン素材から成り、平行な2本のスリットを有し、マスク下端を裏側から挟み込むことでマスクに着脱可能とすることを特徴としたマスク用アダプター。
【請求項５】
マスク装着時の眼鏡の曇りや息苦しさ、及び、低酸素状態を解消する、市販のマスクに取り付け可能なマスク用アダプターであって、スペーサー及びそれと一体化した取り付け具から構成され、前記スペーサーは、厚紙または繰り返しの折り曲げに強い、ヒンジ特性に優れたポリプロピレン素材から成る、クランク状または円柱状または円弧状の凸型形状を有する構造物で、前記取り付け具は、長方形の厚紙または繰り返しの折り曲げに強い、ヒンジ特性に優れたポリプロピレン素材から成り、平行な2本のスリットを有し、マスク下端を裏側から挟み込むことでマスクに着脱可能とすることを特徴としたマスク用アダプター。
【請求項６】
着用者の両耳に掛けられる左右一対の支持紐体に保持されて前記着用者の鼻口部に密着されるマスクの前記鼻口側に、請求項１〜５のいずれかに記載のマスク用アダプターが取り付けられていることを特徴とするマスク。